(57)【要約】【課題】ユーザにコンテンツを紹介する際に、コンテンツに対するユーザの関心度を向上させること。【解決手段】端末装置１で再生されたコンテンツの再生の履歴を記録する履歴記録部１３と、履歴記録部１３に記録された履歴と所定の再生条件とに基づいて、推薦するコンテンツを決定する推薦コンテンツ決定部１４と、推薦コンテンツ決定部１４により決定された推薦するコンテンツの情報を表示画面上に表示する表示部１５と、を備える。【選択図】図１
2016194870.tif 000002
【特許請求の範囲】
【請求項１】
自端末装置で再生されたコンテンツの再生の履歴を記録する履歴記録部と、
前記履歴記録部に記録された履歴と所定の再生条件とに基づいて、推薦するコンテンツを決定する推薦コンテンツ決定部と、
前記推薦コンテンツ決定部により決定された推薦するコンテンツの情報を表示画面上に表示する表示部と、
を備える端末装置。
【請求項２】
前記推薦コンテンツ決定部は、前記履歴記録部に記録された履歴のうち最後に再生されたコンテンツの再生の履歴に基づいて、推薦するコンテンツを決定する、
請求項１に記載の端末装置。
【請求項３】
前記推薦コンテンツ決定部は、前記履歴記録部に記録された履歴のうち一のコンテンツの全長に対する前記一のコンテンツの再生済の長さの割合である再生済割合が所定の第１の閾値を超える前記一のコンテンツを、推薦するコンテンツに決定する、
請求項１又は２のいずれか１項に記載の端末装置。
【請求項４】
前記推薦コンテンツ決定部は、前記履歴記録部に記録された履歴のうち関連コンテンツ情報が存在するコンテンツの再生の履歴に基づいて、推薦するコンテンツを決定する、
請求項１又は２のいずれか１項に記載の端末装置。
【請求項５】
前記推薦コンテンツ決定部は、前記履歴記録部に記録された履歴のうち一のコンテンツの全長に対する前記一のコンテンツの再生済の長さの割合である再生済割合が所定の第２の閾値を超える前記一のコンテンツに関連するコンテンツを、推薦するコンテンツに決定する、
請求項４に記載の端末装置。
【請求項６】
コンピュータに、
端末装置で再生されたコンテンツの再生の履歴を記録する履歴記録ステップと、
前記履歴記録ステップにより記録された履歴と所定の再生条件とに基づいて、推薦するコンテンツを決定する推薦コンテンツ決定ステップと、
前記推薦コンテンツ決定ステップにより決定された推薦するコンテンツの情報を表示画面上に表示する表示ステップと、
を実行させるためのコンピュータプログラム。
【発明の詳細な説明】
【技術分野】
【０００１】
本発明は、端末装置、及び、コンピュータプログラムに関する。
【背景技術】
【０００２】
従来、コンテンツリストを端末の表示画面上に表示してユーザに提示する技術として、例えば特許文献１に記載される技術が知られている。
【先行技術文献】
【特許文献】
【０００３】
【特許文献１】特開２０１０−２７７５１０号公報
【発明の概要】
【発明が解決しようとする課題】
【０００４】
しかし、上述した従来の技術では、コンテンツリストとしてサムネイル画像の一覧を表示するが、ユーザにコンテンツを紹介する際に、コンテンツに対するユーザの関心を引き難い可能性があった。
【０００５】
本発明は、このような事情を考慮してなされたものであり、ユーザにコンテンツを紹介する際に、コンテンツに対するユーザの関心度を向上させることができる、端末装置、及び、コンピュータプログラムを提供することを課題とする。
【課題を解決するための手段】
【０００６】
（１）本発明の一態様は、自端末装置で再生されたコンテンツの再生の履歴を記録する履歴記録部と、前記履歴記録部に記録された履歴と所定の再生条件とに基づいて、推薦するコンテンツを決定する推薦コンテンツ決定部と、前記推薦コンテンツ決定部により決定された推薦するコンテンツの情報を表示画面上に表示する表示部と、を備える端末装置である。
（２）本発明の一態様は、上記（１）の端末装置において、前記推薦コンテンツ決定部は、前記履歴記録部に記録された履歴のうち最後に再生されたコンテンツの再生の履歴に基づいて、推薦するコンテンツを決定する、端末装置である。
（３）本発明の一態様は、上記（１）又は（２）のいずれかの端末装置において、前記推薦コンテンツ決定部は、前記履歴記録部に記録された履歴のうち一のコンテンツの全長に対する前記一のコンテンツの再生済の長さの割合である再生済割合が所定の第１の閾値を超える前記一のコンテンツを、推薦するコンテンツに決定する、端末装置である。
（４）本発明の一態様は、上記（１）又は（２）のいずれかの端末装置において、前記推薦コンテンツ決定部は、前記履歴記録部に記録された履歴のうち関連コンテンツ情報が存在するコンテンツの再生の履歴に基づいて、推薦するコンテンツを決定する、端末装置である。
（５）本発明の一態様は、上記（４）の端末装置において、前記推薦コンテンツ決定部は、前記履歴記録部に記録された履歴のうち一のコンテンツの全長に対する前記一のコンテンツの再生済の長さの割合である再生済割合が所定の第２の閾値を超える前記一のコンテンツに関連するコンテンツを、推薦するコンテンツに決定する、端末装置である。
【０００７】
（６）本発明の一態様は、コンピュータに、端末装置で再生されたコンテンツの再生の履歴を記録する履歴記録ステップと、前記履歴記録ステップにより記録された履歴と所定の再生条件とに基づいて、推薦するコンテンツを決定する推薦コンテンツ決定ステップと、前記推薦コンテンツ決定ステップにより決定された推薦するコンテンツの情報を表示画面上に表示する表示ステップと、を実行させるためのコンピュータプログラムである。
【発明の効果】
【０００８】
本発明によれば、ユーザにコンテンツを紹介する際に、コンテンツに対するユーザの関心度を向上させることができるという効果が得られる。
【図面の簡単な説明】
【０００９】
【図１】本発明の一実施形態に係るコンテンツ配信システムを示す構成図である。
【図２】本発明の一実施形態に係る端末装置１のハードウェア構成例を示す図である。
【図３】本発明の一実施形態に係る履歴記録部１３の構成例を示す図である。
【図４】本発明の一実施形態に係る端末装置１の表示画面１００の構成例を示す図である。
【図５】本発明の一実施形態に係るコンテンツ推薦制御方法の手順を示すフローチャートである。
【発明を実施するための形態】
【００１０】
以下、図面を参照し、本発明の実施形態について説明する。
図１は、本発明の一実施形態に係るコンテンツ配信システムを示す構成図である。図１において、端末装置１は、通信ネットワーク３を介して、コンテンツ配信装置２にアクセスする。通信ネットワーク３は、無線通信ネットワークであってもよく、又は、有線通信ネットワークであってもよく、又は、無線通信ネットワークと有線通信ネットワークとの組合せであってもよい。
【００１１】
コンテンツ配信装置２は、端末装置１からの要求に応じて、本動画像コンテンツを、要求元の端末装置１へ配信する。本動画像コンテンツは、例えば、映画やドラマ、音楽ビデオなどの本編である。コンテンツ配信装置２は、端末装置１に対して、本動画像コンテンツの紹介用に作成された動画像コンテンツ（以下、紹介動画像コンテンツと称する）を端末装置１へ配信する。紹介動画像コンテンツは、本動画像コンテンツの例えば一部分又は予告編である。紹介動画像コンテンツとして、例えば、映画やドラマ、音楽ビデオなどの本編の一部分又は予告編が挙げられる。
【００１２】
コンテンツ配信装置２は、端末装置１に対して、本動画像コンテンツの紹介用に作成された静止画像（以下、紹介静止画像と称する）を配信する。紹介静止画像は、例えば本動画像コンテンツの動画像ファイルから生成された静止画像である。紹介静止画像として、例えば、映画やドラマ、音楽ビデオなどの本編の動画像ファイルから生成されたサムネイル画像が挙げられる。
【００１３】
コンテンツ配信装置２は、端末装置１に対して、本動画像コンテンツの識別情報（以下、コンテンツＩＤと称する）と本動画像コンテンツの属性情報（以下、コンテンツ属性情報と称する）とを配信する。コンテンツ属性情報として、本動画像コンテンツの全長を示すコンテンツ全長情報、本動画像コンテンツに関連する他の本動画像コンテンツを示す関連コンテンツ情報、などがある。
【００１４】
端末装置１は、取得部１１と、再生部１２と、履歴記録部１３と、推薦コンテンツ決定部１４と、表示部１５と、制御部１６と、操作部１７と、を備える。取得部１１は、コンテンツ配信装置２から、本動画像コンテンツと紹介動画像コンテンツと紹介静止画像とコンテンツ属性情報とを取得する。再生部１２は、本動画像コンテンツの動画像再生データを生成する。再生部１２は、紹介動画像コンテンツの動画像再生データを生成する。
【００１５】
履歴記録部１３は、端末装置１で再生された本動画像コンテンツの再生の履歴を記録する。推薦コンテンツ決定部１４は、履歴記録部１３に記録された履歴と所定の再生条件とに基づいて、推薦する本動画像コンテンツ（以下、推薦本動画像コンテンツと称する）を決定する。表示部１５は、推薦コンテンツ決定部１４により決定された推薦本動画像コンテンツの情報を表示画面上に表示する。制御部１６は、端末装置１のコンテンツ再生制御を行う。操作部１７は、ユーザからの操作を受け付け、受け付けた操作の情報を制御部１６へ出力する。
【００１６】
図２は、本発明の一実施形態に係る端末装置１のハードウェア構成例を示す図である。図２において、端末装置１は、ＣＰＵ＿３１（演算処理部）と、プログラム記憶部３２と、データ記憶部３３と、通信モジュール３４と、入力デバイス３５と、表示デバイス３６とを備える。これら各部はデータを交換できるように構成される。
【００１７】
ＣＰＵ＿３１は端末装置１の制御を行う。この制御機能は、ＣＰＵ＿３１がコンピュータプログラムを実行することにより実現される。プログラム記憶部３２は、ＣＰＵ＿３１によって実行されるコンピュータプログラムを記憶する。プログラム記憶部３２は、コンテンツ推薦制御プログラム４１を記憶する。ＣＰＵ＿３１がプログラム記憶部３２に記憶されるコンテンツ推薦制御プログラム４１を実行することにより、図１に示される端末装置１の各部の機能が実現される。
【００１８】
データ記憶部３３はデータを記憶する。図１に示される端末装置１の履歴記録部１３の記録領域は、図２に示されるデータ記憶部３３内に設けられる。通信モジュール３４は、図１に示される通信ネットワーク３を介した通信を実現する通信モジュールである。
【００１９】
入力デバイス３５は、キーボード、テンキー、マウス、操作ボタン等の入力デバイスから構成され、ユーザの操作に応じたデータ入力を行う。表示デバイス３６は、液晶表示装置等の表示デバイスから構成され、データ表示を行う。また、データ入力とデータ表示の両方が可能なタッチパネルを備えてもよい。
【００２０】
端末装置１として、汎用のコンピュータ装置を使用してもよく、又は、専用のハードウェア装置として構成してもよい。また、端末装置１として、スマートフォン等の携帯通信端末装置、タブレット型のコンピュータ装置、据置き型のパーソナルコンピュータ装置などを使用してもよい。
【００２１】
図３は、本発明の一実施形態に係る履歴記録部１３の構成例を示す図である。図３において、履歴記録部１３は、本動画像コンテンツ毎に、コンテンツＩＤと、コンテンツ属性情報と、再生日時と、再生済割合と、などを関連付けて記録する。再生日時は、本動画像コンテンツが再生された日付と時刻とを示す。再生済割合は、一の本動画像コンテンツの全長に対する当該一の本動画像コンテンツの再生済の長さの割合である。例えば、本動画像コンテンツの再生時間の全長が６０分である場合において、該６０分のうち既に１５分が再生済みであるときは、再生済割合は２５％である。
【００２２】
図４は、本発明の一実施形態に係る端末装置１の表示画面１００の構成例を示す図である。図４において、表示画面１００は、チャネルリスト部１１０と、コンテンツ表示部１２０とを有する。チャネルリスト部１１０は、オススメチャンネル、チャンネルｃｈ１，ｃｈ２，・・・に対応する操作部分を有する。オススメチャンネルは、ユーザに推薦する本動画像コンテンツを集めたチャンネルである。オススメチャンネル以外の他のチャンネルｃｈ１，ｃｈ２，・・・は、例えば、本動画像コンテンツのジャンル別に存在する。チャンネルｃｈ１，ｃｈ２，・・・として、例えば、邦画チャンネル、洋画チャンネル、ドラマチャンネル、音楽ビデオチャンネルなどが挙げられる。また、チャンネルとして、ユーザがお気に入り登録した本動画像コンテンツを集めたチャンネルなどを設けてもよい。
【００２３】
チャネルリスト部１１０は、スクロール方向１３０に沿って、スクロールが可能である。チャネルリスト部１１０のスクロールによって、表示画面１００のサイズの制限によって表示画面１００上に表示されていなかったチャンネルの操作部分が表示される。
【００２４】
ユーザが、例えば、オススメチャンネルの操作部分を選択すると、操作部１７は、オススメチャンネルの選択を制御部１６へ通知する。制御部１６は、オススメチャンネルの選択の通知を受けると、オススメチャンネルの選択を実行する。制御部１６によるオススメチャンネルの選択の実行により、オススメチャンネルに属する本動画像コンテンツの情報がコンテンツ表示部１２０に表示される。
【００２５】
コンテンツ表示部１２０は、第１コンテンツ情報表示部１２０−１と、第２コンテンツ情報表示部１２０−２と、第３コンテンツ情報表示部１２０−３とを有する。オススメチャンネルが選択された場合、第１コンテンツ情報表示部１２０−１は、オススメチャンネルに属する本動画像コンテンツの情報のうち、第１コンテンツ情報を表示する部分である。オススメチャンネルが選択された場合、第２コンテンツ情報表示部１２０−２は、オススメチャンネルに属する本動画像コンテンツの情報のうち、第２コンテンツ情報を表示する部分である。オススメチャンネルが選択された場合、第３コンテンツ情報表示部１２０−３は、オススメチャンネルに属する本動画像コンテンツの情報のうち、第３コンテンツ情報を表示する部分である。
【００２６】
ユーザは、オススメチャンネルが選択された場合、第１コンテンツ情報表示部１２０−１で表示中の第１コンテンツ情報を選択する操作を行うことにより、当該表示中の第１コンテンツ情報で特定される本動画像コンテンツを選択することができる。また、ユーザは、オススメチャンネルが選択された場合、第２コンテンツ情報表示部１２０−２で表示中の第２コンテンツ情報を選択する操作を行うことにより、当該表示中の第２コンテンツ情報で特定される本動画像コンテンツを選択することができる。また、ユーザは、オススメチャンネルが選択された場合、第３コンテンツ情報表示部１２０−３で表示中の第３コンテンツ情報を選択する操作を行うことにより、当該表示中の第３コンテンツ情報で特定される本動画像コンテンツを選択することができる。そして、ユーザは、該選択した本動画像コンテンツの配信を要求する操作を行うことにより、該選択した本動画像コンテンツをコンテンツ配信装置２から端末装置１に配信してもらうことができる。これにより、ユーザは、端末装置１に配信された本動画像コンテンツを、端末装置１の表示画面１００上で再生して視聴することができる。
【００２７】
例えば、ユーザは、オススメチャンネルが選択された場合、第１コンテンツ情報表示部１２０−１で再生中の第１コンテンツ情報である紹介動画像コンテンツ（例えば映画予告編とする）を選択する操作を行うことにより、当該再生中の紹介動画像コンテンツ（映画予告編）の本動画像コンテンツ（映画本編）を選択することができる。そして、ユーザは、該選択した映画本編の配信を要求する操作を行うことにより、該選択した映画本編をコンテンツ配信装置２から端末装置１に配信してもらうことができる。これにより、ユーザは、端末装置１に配信された映画本編を、端末装置１の表示画面１００上で再生して視聴することができる。
【００２８】
例えば、ユーザは、オススメチャンネルが選択された場合、第２コンテンツ情報表示部１２０−２又は第３コンテンツ情報表示部１２０−３で表示中の第２コンテンツ情報である紹介静止画像（例えばドラマのサムネイル画像とする）を選択する操作を行うことにより、当該表示中の紹介静止画像（サムネイル画像）の本動画像コンテンツ（ドラマ本編）を選択することができる。そして、ユーザは、該選択したドラマ本編の配信を要求する操作を行うことにより、該選択したドラマ本編をコンテンツ配信装置２から端末装置１に配信してもらうことができる。これにより、ユーザは、端末装置１に配信されたドラマ本編を、端末装置１の表示画面１００上で再生して視聴することができる。
【００２９】
コンテンツ表示部１２０は、スクロール方向１４０に沿って、スクロールが可能である。例えば、オススメチャンネルが選択された場合、コンテンツ表示部１２０のスクロールによって、オススメチャンネルに属する本動画像コンテンツの情報のうち、表示画面１００のサイズの制限によって表示画面１００上に表示されていなかった本動画像コンテンツの情報を表示するコンテンツ情報表示部が表示画面１００上に表示される。
【００３０】
次に、図５を参照して、本実施形態に係る端末装置１の動作を説明する。図５は、本発明の一実施形態に係るコンテンツ推薦制御方法の手順を示すフローチャートである。端末装置１において、所定の契機により図５の手順が開始される。
【００３１】
（ステップＳ１）再生部１２は、制御部１６からの指示により、再生対象の本動画像コンテンツの動画像再生データを生成する。例えば、コンテンツ配信装置２が動画像コンテンツを符号化ファイルで端末装置１へ配信する場合、再生部１２は、取得部１１がコンテンツ配信装置２から取得した動画像コンテンツの符号化ファイルを、復号化する。この復号化結果の動画像再生データは表示部１５に出力される。表示部１５が再生部１２から入力された動画像再生データを表示画面１００上に表示することにより、再生対象の本動画像コンテンツが再生される。
【００３２】
例えば、コンテンツ配信装置２が動画像コンテンツの符号化ファイルをストリーミング形式で端末装置１へ配信する場合、再生部１２は、取得部１１がコンテンツ配信装置２からストリーミング形式で取得した動画像コンテンツの符号化ファイルを、復号化する。この復号化結果の動画像再生データは表示部１５に出力される。表示部１５が再生部１２から入力された動画像再生データを表示画面１００上に表示することにより、再生対象の本動画像コンテンツが再生される。
【００３３】
（ステップＳ２）履歴記録部１３は、再生部１２から、再生対象の本動画像コンテンツの動画像再生データの生成の結果を示す再生結果情報を取得する。再生結果情報は、再生対象の本動画像コンテンツのコンテンツＩＤと、再生日時と、再生済割合とを含む。履歴記録部１３は、再生部１２から取得した再生結果情報を記録する。履歴記録部１３は、再生部１２から取得した再生結果情報のコンテンツＩＤで特定される再生対象の本動画像コンテンツのコンテンツ属性情報を、取得部１１を介してコンテンツ配信装置２から取得する。履歴記録部１３は、取得部１１を介してコンテンツ配信装置２から取得した再生対象の本動画像コンテンツのコンテンツ属性情報を、再生対象の本動画像コンテンツのコンテンツＩＤに関連付けて記録する。
【００３４】
（ステップＳ３）推薦コンテンツ決定部１４は、履歴記録部１３に記録された履歴と所定の再生条件とに基づいて、推薦本動画像コンテンツを決定する。推薦本動画像コンテンツは、オススメチャンネルに属する本動画像コンテンツとして登録される。オススメチャンネルに属する本動画像コンテンツは、推薦本動画像コンテンツを含む。オススメチャンネルに属する本動画像コンテンツは、推薦本動画像コンテンツ以外の本動画像コンテンツを含むものであってもよい。オススメチャンネルに属する本動画像コンテンツの情報は、表示部１５に出力される。
【００３５】
（ステップＳ４）表示部１５は、推薦本動画像コンテンツの情報を表示画面１００上に表示する。表示部１５は、例えば、オススメチャンネルが選択された場合、コンテンツ表示部１２０の第１コンテンツ情報表示部１２０−１、第２コンテンツ情報表示部１２０−２、又は、第３コンテンツ情報表示部１２０−３に、推薦本動画像コンテンツの情報を表示する。
【００３６】
次に、本実施形態に係る推薦本動画像コンテンツ決定方法の例を説明する。
【００３７】
（推薦本動画像コンテンツ決定方法の例１）
推薦本動画像コンテンツ決定方法の例１では、所定の再生条件は、最後に再生された本動画像コンテンツであることである。推薦コンテンツ決定部１４は、履歴記録部１３に記録された履歴のうち最後に再生された本動画像コンテンツの再生の履歴に基づいて、推薦本動画像コンテンツを決定する。例えば、推薦コンテンツ決定部１４は、履歴記録部１３に記録された再生日時のうち直近である再生日時の本動画像コンテンツを、推薦本動画像コンテンツに決定する。
【００３８】
（推薦本動画像コンテンツ決定方法の例２）
推薦本動画像コンテンツ決定方法の例２では、所定の再生条件は、コンテンツ属性情報として関連コンテンツ情報が存在することである。推薦コンテンツ決定部１４は、履歴記録部１３に記録された履歴のうちコンテンツ属性情報として関連コンテンツ情報が存在する本動画像コンテンツの再生の履歴に基づいて、推薦本動画像コンテンツを決定する。例えば、推薦コンテンツ決定部１４は、履歴記録部１３に関連コンテンツ情報が存在する本動画像コンテンツの再生の履歴が履歴記録部１３に存在する場合に、当該関連コンテンツ情報で特定される本動画像コンテンツを推薦本動画像コンテンツに決定する。
【００３９】
例えば、映画やドラマの続編が関連コンテンツ情報で特定される本動画像コンテンツとして挙げられる。続編は、一つでもよく、又は、複数でもよい。例えば、推薦コンテンツ決定部１４は、履歴記録部１３の関連コンテンツ情報により続編が存在することが示されるドラマの第１話の再生の履歴が履歴記録部１３に存在する場合に、当該ドラマの第２話以降のうち一つ又は複数の話を推薦本動画像コンテンツに決定する。推薦コンテンツ決定部１４は、履歴記録部１３において、例えば、ドラマの第１話の再生の履歴が履歴記録部１３に存在する場合に、当該ドラマの第２話を含む一つ又は複数の話を推薦本動画像コンテンツに決定する。
【００４０】
例えば、複数の作品から構成されるシリーズものの映画やドラマの各作品が関連コンテンツ情報で特定される本動画像コンテンツとして挙げられる。例えば、推薦コンテンツ決定部１４は、履歴記録部１３の関連コンテンツ情報により３部作であることが示される映画のいずれかの部の再生の履歴が履歴記録部１３に存在する場合に、当該映画の部のうち再生の履歴が履歴記録部１３に存在しない部を推薦本動画像コンテンツに決定する。推薦コンテンツ決定部１４は、履歴記録部１３において、例えば、映画の３部作のうち第２部の再生の履歴が存在する場合に、再生の履歴が存在しない第１部もしくは第３部、又は、第１部と第３部との両方、を推薦本動画像コンテンツに決定する。
【００４１】
例えば、同一歌手の複数の楽曲の各々の音楽ビデオが関連コンテンツ情報で特定される本動画像コンテンツとして挙げられる。例えば、推薦コンテンツ決定部１４は、履歴記録部１３の関連コンテンツ情報により同一歌手の複数の楽曲の音楽ビデオが存在することが示されるいずれかの音楽ビデオの再生の履歴が履歴記録部１３に存在する場合に、当該歌手の音楽ビデオのうち再生の履歴が履歴記録部１３に存在しない音楽ビデオの一つ又は複数を推薦本動画像コンテンツに決定する。
【００４２】
（推薦本動画像コンテンツ決定方法の例３）
推薦本動画像コンテンツ決定方法の例３では、所定の再生条件は、再生済割合が所定の閾値を超えることである。推薦コンテンツ決定部１４は、履歴記録部１３に記録された再生済割合と所定の閾値とに基づいて、推薦するコンテンツを決定する。推薦本動画像コンテンツ決定方法の例３における所定の閾値の例３−Ａ，３−Ｂを以下に挙げる。
【００４３】
（所定の閾値の例３−Ａ；第１の閾値）
所定の閾値の例３−Ａである第１の閾値は、ユーザが本動画像コンテンツを視聴したことを判定する際の閾値である。本動画像コンテンツが再生された場合であっても、ユーザが関心を持って視聴したとは限らない可能性がある。例えば、ユーザが操作ミスにより再生してしまったり、又は、ユーザが視聴する意思がないのに単に再生操作を行ったりした可能性がある。このようなことに対して、第１の閾値を使用して再生済割合を判定することにより、ユーザが本動画像コンテンツを視聴したか否かを判断する。
【００４４】
推薦コンテンツ決定部１４は、履歴記録部１３に記録された再生済割合が第１の閾値を超える本動画像コンテンツを、推薦本動画像コンテンツに決定する。第１の閾値は、任意に設定可能である。好ましくは、ユーザが視聴する意思を持って本動画像コンテンツを再生したと判断するに足りる値に、第１の閾値を設定する。第１の閾値は、例えば５％とすることが挙げられる。又は、第１の閾値は、５％を含む一定範囲内の値とすることが挙げられる。例えば、１％から１０％までの範囲の中から、第１の閾値を設定することが挙げられる。
【００４５】
なお、上述した推薦本動画像コンテンツ決定方法の例１と組み合わせてもよい。推薦コンテンツ決定部１４は、履歴記録部１３に記録された履歴に基づいて、最後に再生された本動画像コンテンツの再生済割合が第１の閾値を超える場合に、最後に再生された本動画像コンテンツを推薦本動画像コンテンツに決定してもよい。
【００４６】
（所定の閾値の例３−Ｂ；第２の閾値）
所定の閾値の例３−Ｂである第２の閾値は、ユーザが本動画像コンテンツを視聴し終えたことを判定する際の閾値である。ユーザが本動画像コンテンツを視聴し終えた場合、当該ユーザは次に視聴する本動画像コンテンツを探す可能性があるので、本動画像コンテンツを推薦することは好ましい。このため、第２の閾値を使用して再生済割合を判定することにより、ユーザが本動画像コンテンツを視聴し終えたか否かを判断する。
【００４７】
推薦コンテンツ決定部１４は、履歴記録部１３に記録された再生済割合が第２の閾値を超える本動画像コンテンツの関連コンテンツ情報で特定される本動画像コンテンツを推薦本動画像コンテンツに決定する。第１の閾値は、任意に設定可能である。好ましくは、ユーザが本動画像コンテンツを視聴し終えたと判断するに足りる値に、第２の閾値を設定する。第２の閾値は、例えば９０％とすることが挙げられる。又は、第２の閾値は、９０％を含む一定範囲内の値とすることが挙げられる。例えば、８５％から９５％までの範囲の中から、第２の閾値を設定することが挙げられる。
【００４８】
なお、上述した推薦本動画像コンテンツ決定方法の例２と組み合わせてもよい。例えば、推薦コンテンツ決定部１４は、履歴記録部１３の関連コンテンツ情報により続編が存在することが示されるドラマの第１話の再生済割合が第２の閾値を超える場合に、当該ドラマの第２話以降のうち一つ又は複数の話、例えば当該ドラマの第２話を含む一つ又は複数の話、を推薦本動画像コンテンツに決定する。
【００４９】
例えば、推薦コンテンツ決定部１４は、履歴記録部１３の関連コンテンツ情報により３部作であることが示される映画の第２部の再生済割合が第２の閾値を超える場合に、再生の履歴が存在しない第１部もしくは第３部、又は、第１部と第３部との両方、を推薦本動画像コンテンツに決定する。
【００５０】
なお、推薦本動画像コンテンツ決定方法の例２に加えてさらに推薦本動画像コンテンツ決定方法の例１とも組み合わせてもよい。推薦コンテンツ決定部１４は、履歴記録部１３に記録された履歴に基づいて、最後に再生された本動画像コンテンツが関連コンテンツ情報により続編が存在することが示されるドラマの第１話であり、且つ、該第１話の再生済割合が第２の閾値を超える場合に、当該ドラマの第２話以降のうち一つ又は複数の話、例えば当該ドラマの第２話を含む一つ又は複数の話、を推薦本動画像コンテンツに決定する。
【００５１】
例えば、推薦コンテンツ決定部１４は、履歴記録部１３に記録された履歴に基づいて、最後に再生された本動画像コンテンツが関連コンテンツ情報により３部作であることが示される映画の第２部であり、且つ、該第２部の再生済割合が第２の閾値を超える場合に、再生の履歴が存在しない第１部もしくは第３部、又は、第１部と第３部との両方、を推薦本動画像コンテンツに決定する。
【００５２】
以上が本実施形態に係る推薦本動画像コンテンツ決定方法の例の説明である。
【００５３】
なお、表示部１５は、関連コンテンツ情報で特定された推薦本動画像コンテンツが複数存在する場合に、関連コンテンツ情報で特定された推薦本動画像コンテンツの複数のうち、一つの推薦本動画像コンテンツのみの情報を表示画面１００上に表示してもよく、又は、複数の推薦本動画像コンテンツの情報を表示画面１００上に表示してもよく、又は、全ての推薦本動画像コンテンツの情報を表示画面１００上に表示してもよい。例えば、関連コンテンツ情報で特定された推薦本動画像コンテンツが３つシリーズから構成されるドラマである場合に、シーズン１のドラマ、シーズン２のドラマ、又は、シーズン３のドラマのうち、いずれか１つのシーズンのドラマの情報を表示画面１００上に表示してもよく、又は、いずれか２つのシーズンのドラマの情報を表示画面１００上に表示してもよく、又は、全シーズンのドラマの情報を表示画面１００上に表示してもよい。
【００５４】
本実施形態によれば、端末装置１で再生されたコンテンツの再生の履歴と所定の再生条件とに基づいて決定された推薦本動画像コンテンツの情報が表示画面１００上に表示されるので、推薦本動画像コンテンツに対するユーザの関心を引くことができる。これにより、ユーザに本動画像コンテンツを紹介する際に、本動画像コンテンツに対するユーザの関心度を向上させることができるという効果が得られる。
【００５５】
以上、本発明の実施形態について図面を参照して詳述してきたが、具体的な構成はこの実施形態に限られるものではなく、本発明の要旨を逸脱しない範囲の設計変更等も含まれる。
【００５６】
例えば、端末装置１は、コンテンツを紹介するコンテンツ紹介情報を外部の装置から取得し、取得したコンテンツ紹介情報を表示画面１００上に表示してもよい。例えば、端末装置１は、第１コンテンツ情報表示部１２０−１と第２コンテンツ情報表示部１２０−２とには推薦本動画像コンテンツの情報を表示し、第３コンテンツ情報表示部１２０−３には外部の装置から取得したコンテンツ紹介情報を表示してもよい。
【００５７】
なお、上述した実施形態では、ユーザに紹介するコンテンツとして動画像コンテンツを例に挙げたが、ユーザに紹介するコンテンツとして音声コンテンツであってもよい。
【００５８】
また、端末装置１は、ウェブブラウザーを使用してコンテンツ配信装置２にアクセスするものであってもよい。
【００５９】
また、上述した端末装置１の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６１】
１…端末装置、２…コンテンツ配信装置、３…通信ネットワーク、１１…取得部、１２…再生部、１３…履歴記録部、１４…推薦コンテンツ決定部、１５…表示部、１６…制御部、１７…操作部、３１…ＣＰＵ、３２…プログラム記憶部、３３…データ記憶部、３４…通信モジュール、３５…入力デバイス、３６…表示デバイス、４１…コンテンツ推薦制御プログラム
【図１】
2016194870.tif 000003
【図２】
2016194870.tif 000004
【図３】
2016194870.tif 000005
【図４】
2016194870.tif 000006
【図５】
2016194870.tif 000007